(57)【要約】      （修正有）【課題】特に寝たきり者に近いような要介護者を介護するにあたり、敷布団等を汚したり、異臭がしみついたりするような不具合を防止する敷きシートを提供する。【解決手段】樹脂シートなどの防水シート材の上面側に布地やスポンジなどの吸水シート材が積層された使い捨て式の替えシート２を複数枚積み重ね、上面側の替えシート２と下面側の替えシート２とを、周縁部の特定の一カ所で局所的に両面接着テープ５によって仮止めし、また、両面接着テープ５近傍の角部に折返し部６を設け、剥ぎ取る際に容易に掴むことができるようにする。【選択図】図１
0003199088.tif 000002
【実用新案登録請求の範囲】
【請求項１】
防水シート材の上面側に吸水シート材が積層された使い捨て式の替えシートが複数枚積み重ねられ、上面側の替えシートと下面側の替えシートとが、周縁部の特定の一カ所で局所的に両面接着テープによって仮止めされていることを特徴とする敷きシート。
【請求項２】
前記替えシートの形状は、矩形状であり、前記両面接着テープは、周縁の一辺に沿って局所的に設けられることを特徴とする請求項１に記載の敷きシート。
【請求項３】
前記替えシートの四隅のうち、両面接着テープ近傍の角部が局所的に折り返されることを特徴とする請求項２に記載の敷きシート。
【考案の詳細な説明】
【技術分野】
【０００１】
本考案は、例えば足が不自由で一定時間以上起立しておくのが困難な要介護者の介護等において、おむつを取り替える際などに敷き布団などを汚さないために好適な敷きシートに関する。
【背景技術】
【０００２】
近年、老人等の要介護者の増加に伴って、使い捨ておむつなどの需要が高まっており、使い捨て式おむつに関する各種技術が提案されている。（例えば、特許文献１、特許文献２参照。）
一方、トイレ回りの掃除を簡単にしてトイレ周辺を綺麗な状態に維持したり、ペットのトイレやフード皿の周辺を綺麗にして汚れるのを防止するための防汚シートに関する技術も多数提案されている。（例えば、特許文献３、特許文献４参照。）
【先行技術文献】
【特許文献】
【０００３】
【特許文献１】実用新案登録第３１３３６８２号公報
【特許文献２】実用新案登録第３１１９３１２号公報
【特許文献３】実用新案登録第３１２９１４０号公報
【特許文献４】実用新案登録第３０３１５９９号公報
【考案の概要】
【考案が解決しようとする課題】
【０００４】
ところで、ベッドなどのそばで立ったり座ったりすることはできるが、起立した状態の姿勢を一定時間以上保持できないような人を介護する場合、おむつを取った後、お尻を拭く前に、布団などの上にそのまま座り込まれることがあり、布団に尿などの汚物が付着して汚れたり臭いがついたりするような不具合があった。
一方、上記防汚シートなどを使用して要介護者の下に敷く場合、一回しか使用することができないため、その都度、防汚シートなどを用意する必要があり、一日数回のおむつ替えに時間と手間がかかる同時に、複数枚の防汚シートなどを収容しておく場所が必要になって不便であった。
【０００５】
そこで本考案は、係る従来の不具合を防止し、手際よく処理することができ、しかも敷布団などに汚れや異臭が付着することのないような敷きシートを提供することを目的とする。
【課題を解決するための手段】
【０００６】
上記課題を解決するため、本考案は、  防水シート材の上面側に吸水シート材が積層された使い捨て式の替えシートが複数枚積み重ねられ、上面側の替えシートと下面側の替えシートとが、周縁部の特定の一カ所で局所的に両面接着テープによって仮止めされる敷きシートとした。
【０００７】
そして、おむつを取り替えるような際に、この敷きシートを、おむつを取り替える人の下方に敷き、その状態でおむつを取り替えれば、お尻を拭く前にその上に座ったような場合でも、一番上の替えシートが汚れるだけであり、このような場合は、おむつを取り替えた後、一番上の替えシートだけを剥がして捨てる。
ここで、防水シート材としては、水の透過を遮断する樹脂シートなどであり、吸水シート材としては、吸水機能を有する布地やスポンジ等であって、使い捨て式のため、安価な素材で構成することが好ましい。また、吸水シート材は、座った時などに座り心地のよい柔らかい素材であればより好ましい。
また、あらかじめ積み重ねる替えシートの数などは任意であるが、例えば、一日におむつを取り替える数などに合わせておけば、おむつを取り替えて汚れるたびに一枚づつ替えシートを剥がしていけば、一日中、敷きなおさなくてよく、しかもおむつの収納スペース等の心配もないため便利である。
【０００８】
また、本考案では、前記替えシートの形状を、矩形状とし、前記両面接着テープを、周縁の一辺に沿って局所的に設けるようにした。
このように替えシートの形状を矩形状とすれば、制作が容易であり、しかも手間をかけないで安価に構成することができる。また、両面接着テープを周縁の一辺に沿って局所的に設ければ、剥がし取るのが容易であり、しかも、替えシートを綺麗に積み重ねることができる。
【０００９】
また、本考案では、前記替えシートの四隅のうち、両面接着テープ近傍の角部を局所的に折り返すようにした。
このように、両面接着テープ近傍の角部を局所的に折り返しておけば、この折り返した部分を手で掴んで引っ張れば、替えシートを容易に剥ぎ取ることができる。
【考案の効果】
【００１０】
防水シート材の上面側に吸水シート材が積層された使い捨て式の替えシートを複数枚積み重ね、上面側の替えシートと下面側の替えシートとを、周縁部の特定の一カ所で局所的に両面接着テープによって仮止めする敷きシートとすることで、一定時間立っているのが困難な人のおむつを取り替えるような際に、お尻を拭く前に座り込んだような場合でも、汚れた替えシートだけを剥がして捨てれば、敷布団などを汚すことがなく、嫌な臭い等も防止することができる。
また、替えシートの形状を、矩形状とし、両面接着テープを、周縁の一辺に沿って局所的に設けることにより、安価に構成することができる。また、汚れた替えシートを剥がし取るのが容易であり、替えシートの四隅のうち、両面接着テープ近傍の角部を局所的に折り返すようにすれば、剥ぎ取りが一層容易となる。
【図面の簡単な説明】
【００１１】
【図１】本考案の敷きシートの全体構成の一例を示す説明図である。
【図２】一枚の替えシートを裏側から見た説明図である。
【考案を実施するための形態】
【００１２】
本考案に係る敷きシートの構成の一例について添付した図面に基づき説明する。
本考案に係る敷きシートは、例えば、立ったり座ったりすることはできるが、一定時間以上立った姿勢を保持するのが難しいような要介護者などのおむつを取り替えるような際に便利な敷きシートとして構成され、敷布団などが汚れたり、異臭などが発生するのを効果的に防止できるようにされている。
【００１３】
すなわち、本敷きシート１は、図１に示すように、クッション性を良くするための基座１０の上部に載置され、この基座１０は、本実施例では、布製の表地と裏地の間に薄い綿を入れて刺し縫いしたキルト製生地にされるとともに、敷きシート１は、本実施例では、要介護者の一日のおむつの取り替え回数に合わせて６枚の替えシート２が１セットとして積み重ねられている。
【００１４】
替えシート２は、図２にも示すように、下面側の樹脂シートなどの防水機能を有する防水シート材３の上面側に、布地やスポンジ体のように吸水機能を有する吸水シート材４が積層され、使い捨て式に構成されている。
【００１５】
また、この替えシート２の形状は、矩形状にされ、容易に作成できるようにされている。なお、本実施例では、替えシート２の長辺の長さが５５ｃｍ、短辺の長さが３５ｃｍであり厚みが１ｍｍ程度である。
【００１６】
そして、複数枚の替えシート２を積み重ねる際は、矩形状の替えシート２の短辺側に沿って局所的に両面接着テープ５を貼り付けることにより、綺麗に積み重ねることができるようにされている。
【００１７】
また、替えシート２の四隅のうち、両面接着テープ５が貼り付けられる箇所近傍の一方側の角部は、折返し部６として局所的に折り返されており、積層用の両面接着テープ５の端部などに止め付けられて折返し状態が維持されている。
【００１８】
このため、この折返し部６を手で握るのが容易であり、替えシート２を剥がし取る際は、この折返し部６を手で掴んで操作すれば、容易に剥がし取ることができるようにされている。
【００１９】
以上のような敷きシート１の使用要領などについて説明する。
【００２０】
要介護者などの尻の下方に敷きシート１を敷いておく。そして、要介護者のおむつを取り替える際は、要介護者に立ってもらってもよく、寝たままの姿勢でもよいが、おむつを取り替える。
【００２１】
そして、おむつの取り替えが完了すると、一番上の替えシート２を剥がし取って、新しい替えシート２の上で寝てもらう。
【００２２】
このような要領により、常に新しい替えシート２上で清潔さを保つことができ、敷布団などが汚れたり、異臭がしみ込んだりするような不具合はない。
【００２３】
なお、本考案は以上のような実施形態に限定されるものではない。本考案の実用新案登録請求の範囲に記載した事項と実質的に同一の構成を有し、同一の作用効果を奏するものは本考案の技術的範囲に属する。
例えば、基座１０の構成は任意であり、また、替えシート２の寸法諸元や替えシート２の積み重ね数等は例示である。
さらに、折返し部６の折返し方向等は任意であり、例えば図１の上方に折り返すようにしてもよい。
【産業上の利用可能性】
【００２４】
特に寝たきり者に近いような要介護者を介護するにあたり、敷布団等を汚したり、異臭がしみついたりするような不具合が防止されるため、介護用品等として今後の広い普及が期待される。
【符号の説明】
【００２５】
１…敷きシート、２…替えシート、３…防水シート材、４…吸水シート材、５…両面接着テープ、６…折返し部。
【図１】
0003199088.tif 000003
【図２】
0003199088.tif 000004